(57)【要約】【課題】ペン先の上面を紙面に対してやや傾けて筆記しても、太い筆跡と細い筆跡を正確に描くことができる万年筆用ペン先を提供する。【解決手段】先端部が金属板により三角形状に成形されるとともにこの三角形状部分１１の先端裏側にポイント１４が形成され、三角形状部分の先端から軸線方向にインキ切り溝１３が形成された万年筆用ペン先において、ポイントの形状を略楕円半球状とし、ポイントの軸線方向の長さＸを先端部の横幅Ｙよりも大きくする。また、三角形状部分を複数枚の金属板を重ね合わせることにより形成し、これによりポイントの軸線方向の長さＸを増大させる。【選択図】　図１
2004142359.tif 000002
【特許請求の範囲】
【請求項１】
先端部が金属板により三角形状に成形されるとともにこの三角形状部分の先端裏側にポイントが形成され、三角形状部分の先端から軸線方向にインキ切り溝が形成された万年筆用ペン先において、
前記ポイントは略楕円半球状であり、該ポイントの軸線方向の長さＸが先端部の横幅Ｙよりも大きいことを特徴とする万年筆用ペン先。
【請求項２】
前記三角形状部分は複数枚の金属板を重ね合わせることにより形成され、これによりポイントの軸線方向の長さＸを増大させたことを特徴とする請求項１の万年筆用ペン先。
【発明の詳細な説明】
【０００１】
【発明の属する技術分野】
本発明は万年筆用ペン先に関し、更には太い筆跡と細い筆跡が筆記可能な万年筆用ペン先に関する。
【０００２】
【従来の技術】
万年筆用のペン先は、金合金板やステンレス板にて、先端部が三角形状に成形されるとともに、全体がやや円弧状に成形される。そして，三角形状部分の先端から軸線方向に所定長さのインキ切り溝が形成されている。このペン先は，インキ溝や櫛歯状のインキ貯留部などが形成された略円筒状のペン芯と重ね合わせた状態で万年筆の先口に固定され、ペン芯のインキ溝からペン先のインキ切り溝にインキが供給される。ここで、この万年筆用のペン先は、筆記時において、筆圧により少し撓むとともに、インキ切り溝が少し広がる。そして、筆圧が解除されるとペン先が復元するが、このペン先の撓み・復元の動きがポンプ作用の働きをしてインキがペン先のインキ切り溝にインキが供給される。
【０００３】
かかる万年筆で例えば音楽の楽譜を筆記する場合において、一本の万年筆で太い筆跡と細い筆跡が筆記可能であれば便利であり、実際に楽譜用万年筆が発売されている。図４は従来から知られている楽譜用万年筆を示すが、ペン先１０先端の三角形状部分１１の先端裏側にはポイントが形成されている。ここで、このペン先１０の側面形状は、図４（Ｂ）に示すように、通常の万年筆用ペン先と同じである。しかし、図４（Ａ）に示すように、三角形状部分１１の先端縁１１ａは幅広であり、従って、ポイント１４の横幅Ｙも幅広になっている。そして、太い筆跡Ｌで筆記するときは、ポイント１４を紙面に当て、図５（Ａ）に示すように、ペン先１０の上面に対して直交するように万年筆を移動させ、細い筆跡Ｓで筆記するときは、図５（Ｂ）に示すように、ぺん先１０の上面に平行方向に万年筆を移動させる。
【０００４】
【発明が解決しようとする課題】
ところで、かかる万年筆によって太い筆跡で正確に筆記しようとすると、図６（Ａ）に示すように、三角形状部分の先端縁１１ａの幅広のポイント１４を横方向に全て紙面に接触させる必要がある。しかしながら、万年筆で筆記するときは、通常の人は、ペン先の上面がよく見えるように、つまり、ペン先の上面の視線に対する投影面積が大きくなるように、ペン先の上面を紙面に対してやや傾けて筆記する傾向がある。従って、実際には、図６（Ｂ）に示すように、ペン先がやや傾くので幅広のポイント１４の横方向が完全には紙面に密着しない。このとき、横方向が幅広であるので、インキ切り溝１３のインキ出端１３ａが紙面から大きく離れる。このため、太い筆跡が正確に描けず、細くなったり、かすれたりする不具合がある。
なお、かかる万年筆で細い筆跡で筆記するときは、万年筆をぺん先の上面に平行方向に移動させるので、ぺん先の上面が紙面に対してやや傾いていても正確に描くことができる。
【０００５】
そこで本発明は、ペン先の上面を紙面に対してやや傾けて筆記しても、太い筆跡と細い筆跡を正確に描くことができ、ことに楽譜用万年筆に適したペン先を提供することを目的とする。
【０００６】
【課題を解決するための手段】
かかる目的を達成するために、請求項１の発明は、先端部が金属板により三角形状に成形されるとともにこの三角形状部分の先端裏側にポイントが形成され、三角形状部分の先端から軸線方向にインキ切り溝が形成された万年筆用ペン先において、ポイントの形状を略楕円半球状とし、ポイントの軸線方向の長さＸを先端部の横幅Ｙよりも大きくする。
また、請求項２の発明は、三角形状部分を複数枚の金属板を重ね合わせることにより形成し、これによりポイントの軸線方向の長さＸを増大させる。
【０００７】
【発明の実施の形態】
以下に、図面に基づいて本発明の実施の形態を具体的に説明する。図１は本発明実施例の平面図と側面図を示すが，図１において，ペン先１０は、金合金板やステンレス板で成形されたであり、先端部分は三角形状に形成され三角形状部分１１であり、三角形状部分１１に断面が円弧状の胴部１２が一体に連設されている。そして、三角形状部分１１の先端から軸線方向に所定長さのインキ切り溝１３が形成されている。また、インキ切り溝１３で切り割られた三角形状部分１１の先端裏側にはポイント１４が形成されている。
【０００８】
ここで、三角形状部分１１は、複数枚、例えば３枚の金属板を重ね合わせて形成されている。３枚の金属板は上側ほど僅かにせり出ており、従って、三角形状部分１１の先端縁１１ａは肉厚であるとともに傾斜状になっている。この肉厚で傾斜状の部分にポイント１４が形成されるので、ポイント１４の形状は略楕円半球状となり、ポイント１４の軸線方向の長さＸは先端部の横幅Ｙよりも大きくなる。そして、ＸはＹの３倍以上の長さにするのが好ましい。
【０００９】
合成樹脂で成形されたペン芯２０には、インキ溝や櫛歯状のインキ貯留部などが形成されているが、ぺン先本体１０はペン芯２０と重ね合わされて万年筆の先口３０に固定されている。そして、先口３０の接続部に接続された図示略のインキカートリッジ内のインキがペン芯２０のインキ溝を通ってペン先１０のインキ切り溝１３に供給される。
【００１０】
しかして、太い筆跡Ｌで筆記する場合は、ポイント１４を紙面に当て、図２（Ｂ）に示すように、ぺん先１０の上面に平行方向に万年筆を移動させる。従って、ぺん先１０の上面が紙面に対してやや傾いても、その傾きにほとんど関係なく、太い筆跡Ｌを正確に描くことができる。
一方、細い筆跡Ｓで筆記するときは、図２（Ａ）に示すように、ペン先１０の上面に対して直交するように万年筆を移動させる。ここで、ぺん先１０の上面が紙面に対して傾かなければ、図３（Ａ）に示すように、ポイント１４の全面が紙面に接触するが、実際には、図３（Ｂ）に示すように、ぺん先１０の上面が紙面に対してやや傾いている。しかし、ポイント１４の横幅Ｙは短いので、ぺん先１０の上面が紙面に対してやや傾いていても、インキ切り溝１３のインキ出端１３ａは紙面からあまり離れない。従って、ポイント１４と紙面の間にインキが十分に供給され、細い筆跡Ｓを正確に描くことができる。結局のところ、太い筆跡Ｌも細い筆跡Ｓも共に正確に描くことができる。
【００１１】
【発明の効果】
以上説明したように、本発明は、先端部が金属板により三角形状に成形されるとともにこの三角形状部分の先端裏側にポイントが形成され、三角形状部分の先端から軸線方向にインキ切り溝が形成された万年筆用ペン先において、ポイントの形状を略楕円半球状とし、ポイントの軸線方向の長さＸを先端部の横幅Ｙよりも大きくするので、また、三角形状部分を複数枚の金属板を重ね合わせることにより形成し、これによりポイントの軸線方向の長さＸを増大させるので、ペン先の上面を紙面に対してやや傾けて筆記しても、太い筆跡と細い筆跡を正確に描くことができ、従って楽譜用万年筆に適したペン先とすることができる。
【図面の簡単な説明】
【図１】（Ａ）は本発明実施例の平面図、（Ｂ）は側面図である。
【図２】太い筆跡と細い筆跡の描き方の説明図である。
【図３】細い筆跡を描く場合のペン先と紙面の関係説明図である。
【図４】（Ａ）は従来例の平面図、（Ｂ）は側面図である。
【図５】従来例の太い筆跡と細い筆跡の描き方の説明図である。
【図６】従来例の太い筆跡を描く場合のペン先と紙面の関係説明図である。
【符号の説明】
１０　　ペン先
１１　　三角形状部分
１１ａ　三角形状部分の先端縁
１２　　胴部
１３　　インキ切り溝
１３ａ　インキ切り溝のインキ出端
１４　　ポイント
２０　　ペン芯
３０　　先口
Ｘ　　　ポイントの軸線方向の長さ
Ｙ　　　ポイント先端の横幅
Ｌ　　　太い筆跡
Ｓ　　　細い筆跡
【図１】
2004142359.tif 000003
【図２】
2004142359.tif 000004
【図３】
2004142359.tif 000005
【図４】
2004142359.tif 000006
【図５】
2004142359.tif 000007
【図６】
2004142359.tif 000008